(57)【要約】【課題】比較的簡素な構造であり、異形手すりを構成する手すり部材同士を容易に連結して壁面に固定することができる連結器具を提供する。【解決手段】連結器具１０は、横断面１１ａが異形をした２本の手すり部材１１を建物の凸状コーナー部１２において連結、固定するものであり、連結器具１０を壁面１２ａに固定するためのブラケット１３を有する横断面が円形をしたエルボ部１４と、手すり部材１１の端部１１ｂをそれぞれエルボ部１４の端部１４ａに連結するための２つの変換アダプタ１５ｘ，１５ｙと、を備えている。変換アダプタ１５ｘ，１５ｙの一方の端部には、手すり部材１１の端部１１ｂが嵌入可能な凹状係止部が設けられ、他方の端部には、エルボ部１４の端部１４ａに開設された円形の開口部１４ｂに嵌入可能な凸状係止部１５ｂが設けられている。【選択図】図４
2008019583.tif 000002
【特許請求の範囲】
【請求項１】
横断面が異形をした２本の手すり部材を建物のコーナー部において連結、固定するための連結器具であって、
当該連結器具を壁面に固定するためのブラケットを有する横断面が円形のエルボ部と、前記手すり部材の端部を前記エルボ部の端部に連結するための変換アダプタと、を備えたことを特徴とする連結器具。
【請求項２】
前記変換アダプタに、前記手すり部材の端部が嵌入可能な凹状係止部と、前記エルボ部の端部に開設された開口部に嵌入可能な凸状係止部と、を設けたことを特徴とする請求項１記載の連結器具。
【請求項３】
前記エルボ部の開口部に嵌入された前記変換アダプタの凸状係止部を固定するために前記エルボ部の開口部の外周から径方向に挿入されるネジが螺合可能な貫通孔を前記変換アダプタの凸状係止部の外周に設けたことを特徴とする請求項２記載の連結器具。
【請求項４】
前記エルボ部の開口部に嵌入された前記変換アダプタの凸状係止部を固定するために前記エルボ部の開口部の外周から径方向に螺着されるネジが圧接可能な周溝を前記変換アダプタの凸状係止部の外周に設けたことを特徴とする請求項２または３記載の連結器具。
【請求項５】
前記変換アダプタの凹状係止部の横断面形状を前記手すり部材の横断面形状に合致させたことを特徴とする請求項１〜４のいずれかに記載の連結器具。
【発明の詳細な説明】
【技術分野】
【０００１】
本発明は、一般住宅や公共施設などの階段や廊下などの壁面に設置される手すりを構成する連結器具に関する。
【背景技術】
【０００２】
老齢者あるいは身体障害者などが室内を歩行する際の身体的な負担を軽減したり、安全性を確保したりするため、近年、一般住宅の階段や廊下などに手すりを設置する事例が増えている。従来の手すりは横断面が円形状のものが主流であったが、最近、握りやすく、手になじみ易い手すりとして、横断面が異形状をしたものも提案されている（例えば、非特許文献１参照。）。
【０００３】
【非特許文献１】東陶機器株式会社，「手すりカタログ」，２００５年９月，ｐ５５〜ｐ６７
【発明の開示】
【発明が解決しようとする課題】
【０００４】
横断面が円形の手すり（以下、「円形手すり」という。）の場合、使用者が実際に手で握る部分となる手すり部材同士を連結するとともに建物の壁面に固定する際に使用する連結器具については、様々な方式のものが開発されている。従って、これらの連結器具を利用することにより、手すりの取付作業は比較的容易である。また、円形手すりを構成する手すり部材は、その径方向のサイズが合えば、連結器具の共用化も可能である。
【０００５】
しかしながら、横断面が異形をした手すり（以下、「異形手すり」という。）の場合、円形手すり用の連結器具をそのまま使用することができないため、専用の連結器具を準備しなければならない。ところが、階段や廊下などの構造は建物によって多種多様であるため、施工現場の状況に応じて手すりを取り付けるためには、非常に多くの種類の連結器具が必要となる。また、異形手すり用の連結器具は構造の複雑化を招きがちであり、部品の共用化も困難である。
【０００６】
本発明が解決しようとする課題は、比較的簡素な構造であり、異形手すりを構成する手すり部材同士を容易に連結して壁面に固定することができる連結器具を提供することにある。
【課題を解決するための手段】
【０００７】
本発明の連結部材は、横断面が異形をした２本の手すり部材を建物のコーナー部において連結、固定するための連結器具であって、当該連結器具を壁面に固定するためのブラケットを有する横断面が円形のエルボ部と、前記手すり部材の端部を前記エルボ部の端部に連結するための変換アダプタと、を備えたことを特徴とする。ここで、異形とは、閉曲線で表示される図形であって、円形、楕円形、多角形などの点対称図形、線対称図形および回転対称図形を除くものをいう。
【０００８】
このような構成とすれば、横断面が異形の手すり部材（以下、「異形手すり部材」という。）の端部は変換アダプタを介して横断面が円形状のエルボ部に連結可能となるため、異形手すり部材専用の連結器具を使用することなく異形手すり部材同士をエルボ部で連結するとともに、ブラケットを介して壁面に固定することができる。また、前記ブラケットを有するエルボ部と変換アダプタとによって構成されているため、構造も比較的簡素である。さらに、異形手すり部材とエルボ部とは横断面形状が異なるため、視覚障害者などが異形手すり部材を握りながら移動してきた場合、コーナー部において異形手すり部材からエルボ部へ手が移る際の手触りの変化により進行方向が変化することを認識することが可能となり、安全性向上に有効である。
【０００９】
ここで、前記変換アダプタに、前記手すり部材の端部が嵌入可能な凹状係止部と、前記エルボ部の端部に開設された開口部に嵌入可能な凸状係止部と、を設けることが望ましい。このような構成とすれば、連結しようとする２本の異形手すり部材について、変換アダプタの凹状係止部に異形手すり部材の端部を嵌入させた後、変換アダプタの凸状係止部をエルボ部の開口部に嵌入させるという作業を行うことにより、これらの連結が完了するため、連結作業の容易化、迅速化を図ることができる。
【００１０】
一方、前記エルボ部の開口部に嵌入された前記変換アダプタの凸状係止部を固定するために前記エルボ部の開口部の外周から径方向に挿入されるネジが螺合可能な貫通孔を前記変換アダプタの凸状係止部の外周に設けることもできる。このような構成とすれば、エルボ部の開口部に嵌入された変換アダプタの凸状係止部の貫通孔に対し、エルボ部の外周から径方向に向かって挿入したネジを螺合させることにより、エルボ部の開口部に嵌入された変換アダプタの凸状係止部を確実に固定することができる。また、必要に応じてネジを緩めて貫通孔から離脱させれば、エルボ部の開口部から変換アダプタの凸状係止部を取り外すこともできる。
【００１１】
一方、前記エルボ部の開口部に嵌入された前記変換アダプタの凸状係止部を固定するために前記エルボ部の開口部の外周から径方向に螺着されるネジが圧接可能な周溝を前記変換アダプタの凸状係止部の外周に設けることもできる。このような構成とすれば、エルボ部の開口部に嵌入された変換アダプタの凸状係止部の周溝に対し、エルボ部の外周から径方向に向かって螺着したネジを圧接させることにより、エルボ部の開口部に嵌入された変換アダプタの凸状係止部を確実に固定することができる。また、必要に応じてネジを緩めれば、エルボ部の開口部から変換アダプタの凸状係止部を離脱させることもできる。
【００１２】
なお、エルボ部の開口部に嵌入された変換アダプタの凸状係止部を固定する手段としては、前述した、凸状係止部に設けた貫通孔にネジを螺合させる方式と、凸状係止部に設けた周溝にネジを圧接させる方式とを併設することもできる。この場合、凸状係止部に設けた貫通孔を含む領域に周溝を設けることが望ましい。
【００１３】
さらに、前記変換アダプタの凹状係止部の横断面形状を前記手すり部材の横断面形状に合致させることもできる。このような構成とすれば、変換アダプタの凹状係止部に対し、異形手すり部材をより確実に固定することが可能となり、使用者が握った異形手すり部材が回転するおそれもない。
【発明の効果】
【００１４】
本発明により、比較的簡素な構造であり、異形手すりを構成する手すり部材同士を容易に連結して壁面に固定することができる連結器具を提供することができる。
【発明を実施するための最良の形態】
【００１５】
以下、図面に基づいて本発明の実施の形態について説明する。図１は本発明の第１実施形態である連結器具の使用状態を示す斜視図、図２は図１に示す連結器具の平面図、図３は図２におけるＡ−Ａ線断面図、図４は図１に示す連結器具の分解斜視図、図５は図４の一部拡大図である。
【００１６】
図１〜図５に示すように、本実施形態の連結器具１０は、横断面１１ａが異形をした２本の手すり部材１１を建物の凸状コーナー部１２において連結、固定するものであり、連結器具１０を壁面１２ａに固定するためのブラケット１３を有する横断面が円形をしたエルボ部１４と、異形手すり部材１１の端部１１ｂをそれぞれエルボ部１４の端部１４ａに連結するための２つの変換アダプタ１５ｘ，１５ｙと、を備えている。変換アダプタ１５ｘ，１５ｙの一方の端部には、手すり部材１１の端部１１ｂが嵌入可能な凹状係止部１５ａが設けられ、他方の端部には、エルボ部１４の端部１４ａに開設された円形の開口部１４ｂに嵌入可能な凸状係止部１５ｂが設けられている。
【００１７】
また、エルボ部１４の開口部１４ｂに嵌入された変換アダプタ１５の凸状係止部１５ｂを固定するため、エルボ部１４の開口部１４ｂの外周から径方向に螺着されるネジＮ１の先端部が圧接可能な周溝１５ｃが変換アダプタ１５の凸状係止部１５ｂの外周に設けられている。また、凸状係止部１５ｂの最下部には凸状係止部１５ｂを径方向に貫通するネジ孔１５ｄが開設されている。図３に示すように、エルボ部１４は上下に分割可能な上カバー１４ｓと下カバー１４ｔとをネジＮ２で締め付けることによって形成され、下カバー１４ｔの下面から挿入されたブラケット１３の上端部１３ａにネジＮ３を螺着することによってエルボ部１４がブラケット１３に固定されている。ブラケット１３は、その下端に形成された取付部１３ｂを凸状コーナー部１２に装着し、凸状コーナー部１２の表面側から壁面１２ａに対して複数のネジＮ４を螺着することによって凸状コーナー部１２に固定されている。
【００１８】
ここで、図６〜図９に基づいて変換アダプタ１５ｘ，１５ｙについて説明する。図６，図７は変換アダプタ１５ｙを示す斜視図、図８は変換アダプタ１５ｘを示す正面図、図９は図８におけるＢ−Ｂ線断面図である。なお、２つの変換アダプタ１５ｘ，１５ｙは互いに鏡面対称な構造をなしているため、変換アダプタ１５ｘ，１５ｙに関する説明は互いに共通している。
【００１９】
図６〜図９に示すように、変換アダプタ１５ｘ，１５ｙの一方の端部には凹状係止部１５ａが設けられ、他方の端部には円形の開口部１４ｂに嵌入可能な凸状係止部１５ｂが設けられている。凸状係止部１５ｂは内部に空洞１５ｅを有する略円筒形状であり、凹状係止部１５ａの内周の横断面形状は手すり部材１１の横断面１１ａの形状に合致している。凹状係止部１５ａと凸状係止部１５ｂとの間には隔壁１５ｆが設けられ、隔壁１５ｆには貫通状のネジ孔１５ｇが開設されている。
【００２０】
ここで、図４，図５に基づいて、連結器具１０を用いて２本の異形手すり部材１１を連結するとともに凸状コーナー部１２に固定する手順について説明する。まず、図２で示したように、複数のネジＮ４を用いて凸状コーナー部１２に固定されたブラケット１３にエルボ部１４を取り付ける。次に、２個の変換アダプタ１５ｘ，１５ｙの凹状係止部１５ａにそれぞれ２本の異形手すり部材１１の端部１１ｂを嵌入させた後、凸状係止部１５ｂ側の空洞１５ｅから隔壁１５ｆのネジ孔１５ｇにネジＮ５を差し込み、異形手すり部材１１の端部１１ｂに螺着する。これによって変換アダプタ１５ｘ，１５ｙはそれぞれ２本の異形手すり部材１１の端部１１ｂに固定される。
【００２１】
次に、変換アダプタ１５ｘ，１５ｙの凸状係止部１５ｂをそれぞれエルボ部１４の開口部１４ｂに嵌入させた後、図３に示すように、エルボ部１４の開口部１４ｂの外周の最下部に開設されたネジ孔１４ｈにネジＮ１を挿入する。そして、このネジＮ１をネジ孔１４ｈから変換アダプタ１５ｘ，１５ｙの凸状係止部１５ｂのネジ孔１５ｄに螺合させる。これにより、２本の異形手すり部材１１の端部１１ｂはそれぞれ変換アダプタ１５ｘ，１５ｙを介してエルボ部１４に連結される。以上のような手順をとることにより、２本の異形手すり部材１１は、連結器具１０を介して連結されるとともに、凸状コーナー部１２に固定される。
【００２２】
このように、連結器具１０を用いれば、異形手すり部材１１の端部１１ｂは変換アダプタ１５ｘ，１５ｙを介して横断面が円形状をしたエルボ部１４の開口部１４ｂに連結することができる。従って、異形手すり部材専用の連結器具を使用することなく異形手すり部材１１同士をエルボ部１４で連結するとともに、ブラケット１３を介して壁面１２ａに固定することができる。また、連結器具１０はブラケット１３を有するエルボ部１４と２個の変換アダプタ１５ｘ，１５ｙによって構成することができるため、構造も比較的簡素である。さらに、異形手すり部材１１とエルボ部１４とは横断面形状が異なるため、視覚障害者などが異形手すり部材１１を手で握りながら移動してきた場合、凸状コーナー部１２において異形手すり部材１１からエルボ部１４へ手が移る際の手触りの変化により進行方向が変化することを認識することができ、安全性向上に有効である。
【００２３】
また、変換アダプタ１５ｘ，１５ｙには凹状係止部１５ａおよび凸状係止部１５ｂが設けられているため、連結しようとする２本の異形手すり部材１１について、変換アダプタ１５ｘ，１５ｙの凹状係止部１５ａに異形手すり部材１１の端部１１ｂを嵌入させた後、変換アダプタ１５ｘ，１５ｙの凸状係止部１５ｂをエルボ部１４の開口部１４ｂに嵌入させるという作業を行うことにより、これらの連結が完了する。このため、連結作業を容易に且つ迅速に行うことができる。
【００２４】
さらに、変換アダプタ１５ｘ，１５ｙの凸状係止部１５ｂには、エルボ部１４の端部１４ａの外周のネジ孔１４ｈから径方向に挿入されるネジＮ１が螺合可能なネジ孔１５ｄのほかに、同様にネジ孔１４ｈに螺着されるネジ（図示せず）が圧接可能な周溝１５ｃが設けられている。周溝１５ｃはネジ孔１４ｈを含む領域に設けられている。従って、凸状係止部１５ｂに設けたネジ孔１５ｄにネジＮ１を螺合させる方式あるいは凸状係止部１５ｂに設けた周溝１５ｃにネジ（図示せず）を圧接させる方式を選択的に採用可能であり、いずれの方式であっても、エルボ部１４の開口部１４ｂに嵌入された変換アダプタ１５ｘ，１５ｙの凸状係止部１５ｂを確実に固定することができる。また、必要に応じてネジＮ１を緩めれば、エルボ部１４の開口部１４ｂから変換アダプタ１５ｘ，１５ｙの凸状係止部１５ｂを離脱させることもできる。
【００２５】
また、変換アダプタ１５ｘ，１５ｙの凹状係止部１５ａの内周の横断面形状は手すり部材１１の横断面形状１１ａに合致しているため、変換アダプタ１５ｘ，１５ｙの凹状係止部１５ａに対し、異形手すり部材１１を確実に固定することができ、使用者が握った異形手すり部材１１が回転するおそれもない。
【００２６】
次に、図１０〜図１４に基づいて本発明の第２実施形態について説明する。図１０は本発明の第２実施形態である連結器具の使用状態を示す斜視図、図１１は図１０に示す連結器具の正面図、図１２は図１１におけるＣ−Ｃ線断面図、図１３は図１０に示す連結器具の分解斜視図、図１４は図１３の一部拡大図である。なお、図１０〜図１４において図１〜図９に示した符号と同符号を付している部分は連結器具１０の構成部分と同じ構造、機能を有する部分であるため、説明を省略する。
【００２７】
図１０に示すように、本実施形態の連結器具２０は、２本の異形手すり部材１１を建物の凹状コーナー部２２において、それぞれ傾斜した状態で連結、固定するためのものである。連結器具２０は、図１０〜図１２に示すように、当該連結器具２０を壁面２２ａに固定するためのブラケット２３を有する横断面が円形をしたエルボ部２４と、エルボ部２４の端部２４ａの開口部２４ｂにそれぞれネジＮ６を介して傾動可能に取り付けられた略円形キャップ形状の補助連結部材２５と、補助連結部材２５の開口部２５ａに異形手すり部材１１の端部１１ｂをそれぞれ連結するための２つの変換アダプタ１５ｘ，１５ｙと、を備えている。
【００２８】
連結器具２０を用いて２本の異形手すり部材１１を建物の凹状コーナー部２２において連結、固定する場合、図１３，図１４に示すように、まず、両方の端部２４ａの開口部２４ｂにそれぞれ補助連結部材２５が取り付けられた状態でエルボ部２４を凹状コーナー部２２に固定する。次に、手すり部材１１の端部１１ｂに取り付けられた変換アダプタ１５ｘ，１５ｙの凸状係止部１５ｂをそれぞれ補助連結部材２５の開口部２５ａに嵌入し、補助連結部材２５の外周のネジ孔２５ｂから径方向に向かって複数のネジＮ７を螺着し、ネジＮ７の先端部を凸状係止部１５ｂの周溝１５ｃに圧接させる。これにより、補助連結部材２５の開口部２５ａにそれぞれ変換アダプタ１５ｘ，１５ｙが固定されるため、２本の異形手すり部材１１は建物の凹状コーナー部２２に連結、固定される。
【００２９】
連結器具２０は、エルボ部２４の端部２４ａの開口部２４ｂにそれぞれ傾動可能に取り付けられた補助連結部材２５を備えているため、補助連結部材２５の傾斜角度を調節することにより、２本の異形手すり部材１１を施工現場の状況に応じた傾斜角度で固定することができる。従って、進行方向が変化する階段やスロープなどのコーナー部に手すりを設置する場合に好適である。
【産業上の利用可能性】
【００３０】
本発明の連結器具は、一般住宅や公共施設などの階段や廊下などの壁面に設置される手すりの構成部材として広く利用することができる。
【図面の簡単な説明】
【００３１】
【図１】本発明の第１実施形態である連結器具の使用状態を示す斜視図である。
【図２】図１に示す連結器具の平面図である。
【図３】図２におけるＡ−Ａ線断面図である。
【図４】図１に示す連結器具の分解斜視図である。
【図５】図４の一部拡大図である。
【図６】図１に示す連結器具を構成する変換アダプタの斜視図である。
【図７】図１に示す連結器具を構成する変換アダプタの斜視図である。
【図８】図１に示す連結器具を構成する変換アダプタの正面図である。
【図９】図８におけるＢ−Ｂ線断面図である。
【図１０】本発明の第２実施形態である連結器具の使用状態を示す斜視図である。
【図１１】図１０に示す連結器具の正面図である。
【図１２】図１１におけるＣ−Ｃ線断面図である。
【図１３】図１０に示す連結器具の分解斜視図である。
【図１４】図１３の一部拡大図である。
【符号の説明】
【００３２】
１０，２０  連結器具
１１  異形手すり部材
１１ａ  横断面
１１ｂ，１４ａ，２４ａ  端部
１２  凸状コーナー部
１２ａ，２２ａ  壁面
１３，２３  ブラケット
１３ａ  上端部
１３ｂ  取付部
１４，２４  エルボ部
１４ｂ  開口部
１４ｈ，１５ｄ，１５ｇ  ネジ孔
１４ｓ  上カバー
１４ｔ  下カバー
１５ｘ，１５ｙ  変換アダプタ
１５ａ  凹状係止部
１５ｂ  凸状係止部
１５ｃ  周溝
１５ｅ  空洞
１５ｆ  隔壁
２２  凹状コーナー部
２４ｂ，２５ａ  開口部
Ｎ１〜Ｎ７  ネジ
【図１】
2008019583.tif 000003
【図２】
2008019583.tif 000004
【図３】
2008019583.tif 000005
【図４】
2008019583.tif 000006
【図５】
2008019583.tif 000007
【図６】
2008019583.tif 000008
【図７】
2008019583.tif 000009
【図８】
2008019583.tif 000010
【図９】
2008019583.tif 000011
【図１０】
2008019583.tif 000012
【図１１】
2008019583.tif 000013
【図１２】
2008019583.tif 000014
【図１３】
2008019583.tif 000015
【図１４】
2008019583.tif 000016